【事件の表示】
　特願２００４−１８４２２８「ペースト塗布方法及び装置」拒絶査定不服審判事件〔平成１８年１月１２日出願公開、特開２００６−７０１３〕について、次のとおり審決する。
【結　論】
　本件審判の請求は、成り立たない。
【理　由】
第１．手続の経緯
　本願は、平成１６年６月２２日の出願であって、平成２０年９月５日付けで拒絶査定がなされ、これに対し、平成２０年１０月９日に拒絶査定不服審判の請求がなされ、平成２０年１１月７日付けで手続補正がなされたものである。
　
第２．平成２０年１１月７日付けの手続補正（以下、「本件手続補正」という。）についての補正却下の決定
〔補正却下の決定の結論〕
　本件手続補正を却下する。
〔理由〕
　１．補正後の本願発明
　本件手続補正により、特許請求の範囲の請求項１は、
「複数のノズルのそれぞれが吐出するペーストを基板上の複数位置のそれぞれに塗布し、基板上に複数のペーストパターンを描画するペースト塗布方法において、
　各ノズルによるペーストの実塗布位置が予め定めてあるペーストの目標塗布位置に対する位置ずれを、前記各ノズルによる前記実塗布位置の検出あるいは前記各ノズルの先端位置の検出により検出し、
　ノズル毎の上記位置ずれを解消するように各ノズルを基板に対し相対移動させることを特徴とするペースト塗布方法。」
と補正された。
　上記補正は、補正前（原査定時）の請求項１に記載された発明を特定するために必要な事項である「各ノズルによるペーストの実塗布位置が予め定めてあるペーストの目標塗布位置に対する位置ずれを検出し、」について、「前記各ノズルによる前記実塗布位置の検出あるいは前記各ノズルの先端位置の検出により」との限定事項を付加するものであり、補正後の請求項１に記載された発明は、補正前の請求項１に記載された発明と、発明の産業上の利用分野及び解決しようとする課題が異なるものではない。
　したがって、上記補正は、平成１８年法律第５５号改正附則第３条第１項によりなお従前の例によるとされる同法による改正前の特許法（以下、「平成１８年改正前特許法」という。）第１７条の２第４項第２号に規定する特許請求の範囲の減縮を目的とするものに該当する。
　そこで、本件手続補正後の上記請求項１に記載された事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）について、以下に検討する。
　
　２．特許法第３６条について
　補正後の請求項１に「各ノズルによるペーストの実塗布位置
が
　しかしながら、出願時の技術常識を考慮すれば、「ペーストの実塗布位置」が「位置ずれ」を検出するものではないことは明らかであり、補正後の請求項１における上記記載は「各ノズルによるペーストの実塗布位置
の、
　これは、本願明細書の段落【００２３】の「ペースト塗布装置１０は、各ノズル２４Ａ〜２６Ａによるペーストの実塗布位置を撮像するＣＣＤカメラ３１、３２、３３を各塗布ヘッド２１〜２３に備える。・・・」や、段落【００４３】の「・・・位置ずれを、ノズルから捨て打ち基板に塗布されたペーストの位置と目標塗布位置との差から求めた例で説明したが、ノズルの先端をカメラで下方から撮像し、その撮像画像をもとに予め定めたノズル先端の基準位置と実際のノズル先端位置との差から実塗布位置が目標塗布位置に対する位置ずれを求めるようにしても良い。」の記載からすれば、「ペーストの実塗布位置」は「ＣＣＤカメラ３１、３２、３３」により「基板に塗布されたペーストの位置」を撮像するか、「ノズルの先端をカメラで下方から撮像」することで得た位置に過ぎないし、段落【００２４】の「制御装置３０は、ノズル２４Ａ〜２６Ａ毎に、カメラ３１〜３３の撮像画像に基づいて検出したペーストの実塗布位置Ｐ1、Ｐ2、Ｐ3が、予め定めてあるペーストの目標塗布位置Ｐ10、Ｐ20、Ｐ30に対する位置ずれ（Δｘ1，Δｙ1）、（Δｘ2，Δｙ2）、（Δｘ3，Δｙ3）を演算し、・・・」に、「制御装置３０」が「ペーストの実塗布位置」と「ペーストの目標塗布位置」から「位置ずれ」を演算することが記載されていること、さらには、特許請求の範囲、明細書、及び、図面における他の記載に、「ペーストの実塗布位置」が「位置ずれ」を検出することが記載されていないことからしても、上記のように解するべきである。
　以上のとおり、一見すると特許請求の範囲の記載が明確でないものの、その不明確な程度は、特許法第３６条第６項第２号に規定する要件を満たさないとして独立特許要件違反とすべきほどのものではない。
　そこで、補正後の請求項１の記載を上記のように解し、本願補正発明が、特許出願の際独立して特許を受けることができるものであるかについて、さらに検討する。
　
　３．特許法第２９条について
（１）引用例及びその記載事項
　原査定の拒絶の理由に引用された、本願の出願前に頒布された刊行物である特開２００３−１１７５号公報（以下、「引用例１」という。）には、次の記載がある。
　ａ「【０００１】【発明の属する技術分野】この発明は基板に液状体としてのシール材を塗布するための塗布装置、塗布方法及び表示装置の製造方法に関する。」
　ｂ「【００２３】上記ＸＹテーブル４上には、図１に鎖線で示す、たとえば液晶表示装置に用いられる被塗布物としての矩形状の基板５が図示しないロボットによって供給される。この基板５にはｎ個、この実施の形態では後述する３つの塗布ノズル２６によって液状体である、ペースト状のシール剤が所定のパターンで塗布されるようになっている。」
　ｃ「【００２６】各ディスペンサヘッド１０Ａ〜１０Ｃは以下のごとく構成されている。すなわち、図２に示すように、上記第１、第２のＸ駆動機構１１，１２にはそれぞれ駆動手段となるＸ駆動源１３によってＸ方向に駆動される第１、第２のＸ可動体１４，１５が設けられている。各Ｘ可動体１４，１５にはそれぞれ第１、第２のＹ可動体１６，１７が設けられている。各Ｙ可動体１６，１７は上記第１、第２のＸ可動体１４、１５に設けられた駆動手段であれるＹ駆動源１８によって同図に矢印で示すＹ方向（図１のＹ方向と同じ方向）に数ｍｍの範囲で駆動されるようになっている。」
　ｄ「【００３０】上記架台１の側方には制御装置３２が配置されている。この制御装置３２は、図３に示すようにデータ入力部３３を有する。このデータ入力部３３は、基板５に塗布されるシール剤の塗布形状をＸ、Ｙ、Ｚの三次元情報として塗布データ補正演算処理部３４に入力するとともに、基板５がＸＹテーブル４上にＸＹ及びθ方向に誤差のない状態で供給されたときの基板５の四隅部に設けられた４つの位置合わせマーク５ａ（図４に示す）のそれぞれのＸＹ座標が入力される。」
　ｅ「【００３３】図５のフローチャートに示すように、上記塗布データ補正演算処理部３４では、データ入力部３３から入力された位置合わせマーク５ａのＸＹ座標と、第１、第２のカメラ２９ａ、２９ｂによって撮像された位置合わせマーク５ａのＸＹ座標が比較認識され、それによってＸＹテーブル４上に供給された基板５のＸＹ方向とθ方向のずれ量とを算出する。
【００３４】上記塗布データ補正演算処理部３４で算出された基板５のＸＹ方向とθ方向のずれ量は、ノズル初期位置補正演算処理部３６に入力される。このノズル初期位置補正演算処理部３６では、基板５のずれ量に基づき、各ディスペンサヘッド１０Ａ〜１０Ｃにそれぞれ設けられた３つの塗布ノズル２６の初期位置、つまりシール剤を塗布し始めるときの最初のＸＹ座標（初期位置）を算出する。」
　ｆ「【００３６】それによって、まずＸＹテーブル制御部３７がＸＹテーブル４によって基板５をＸＹ方向に駆動し、図６（ａ）に示すように第２のディスペンサヘッド１０Ｂの塗布ノズル２６の中心がこの塗布ノズル２６によって基板５に塗布されるシール剤の塗布パターンＰ２ の初期位置Ｘ２ に一致するよう、この基板５を位置決めする。この状態を図６（ａ）に示す。
【００３７】第２のディスペンサヘッド１０Ｂの塗布ノズル２６を塗布パターンＰ２ の初期位置Ｘ２ に位置決めすると、第１、第３のディスペンサヘッド１０Ａ，１０Ｃの塗布ノズル２６の中心位置は、それぞれの塗布パターンＰ１ 、Ｐ３ の初期位置Ｘ１ 、Ｘ３ に対して、第２のディスペンサヘッド１０Ｂの塗布ノズル２６を位置決めしたときのＸＹ方向の移動量と、ＸＹテーブル４上に供給されたときの基板５のＸＹ方向のずれ量とを加算した分だけＸＹ方向にずれていることになる。
【００３８】したがって、ディスペンサヘッド制御部３８は、それらの誤差に応じて第１のディスペンサヘッド１０Ａの塗布ノズル２６と、第３のディスペンサヘッド１０Ｃの塗布ノズル２６とをＸＹ方向に駆動すれば、図６（ｂ）に示すように、これら塗布ノズル２６の中心をそれぞれシール剤を塗布するときの初期位置Ｘ１ 、Ｘ３ に位置決めすることができる。」
　ｇ　また、上記ｄに「データ入力部３３は、基板５に塗布されるシール剤の塗布形状をＸ、Ｙ、Ｚの三次元情報として塗布データ補正演算処理部３４に入力する」と記載され、上記ｅに「補正演算処理部３４で算出された基板５のＸＹ方向とθ方向のずれ量は、ノズル初期位置補正演算処理部３６に入力される。このノズル初期位置補正演算処理部３６では、基板５のずれ量に基づき、各ディスペンサヘッド１０Ａ〜１０Ｃにそれぞれ設けられた３つの塗布ノズル２６の初期位置、つまりシール剤を塗布し始めるときの最初のＸＹ座標（初期位置）を算出する。」と記載されている。これら記載から見てデータ入力部３３から入力される「基板５に塗布されるシール剤の塗布形状」である「Ｘ、Ｙ、Ｚの三次元情報」には、ノズル初期位置補正演算処理部３６が、ずれ量に基づいて初期位置を算出するための基礎となる位置、換言すれば、「補正前の初期位置」が含まれていると認められる。
　
　したがって、以上の記載事項ａないしｇ並びに図１ないし図６によれば、引用例１には、次の発明が記載されているといえる。（以下、「引用発明１」という。）
　　《引用発明１》
「３つの塗布ノズル２６によって液状体である、ペースト状のシール剤を基板５に所定のパターンで塗布するための塗布方法であって、
　データ入力部３３から入力された位置合わせマーク５ａのＸＹ座標と、撮像された基板５の位置合わせマーク５ａのＸＹ座標によって、基板５のＸＹ方向とθ方向のずれ量とを算出し、このずれ量と、補正前の初期位置とに基づき、塗布ノズル２６の初期位置を算出し、
　基板５をＸＹ方向に駆動し、第２のディスペンサヘッド１０Ｂの塗布ノズル２６の中心がこの塗布ノズル２６によって基板５に塗布されるシール剤の塗布パターンＰ２の初期位置Ｘ２に一致するよう、この基板５を位置決めし、
　第２のディスペンサヘッド１０Ｂの塗布ノズル２６を塗布パターンＰ２の初期位置Ｘ２に位置決めすると、第１、第３のディスペンサヘッド１０Ａ，１０Ｃの塗布ノズル２６の中心位置は、それぞれの塗布パターンＰ１、Ｐ３の初期位置Ｘ１、Ｘ３に対して、第２のディスペンサヘッド１０Ｂの塗布ノズル２６を位置決めしたときのＸＹ方向の移動量と、ＸＹテーブル４上に供給されたときの基板５のＸＹ方向のずれ量とを加算した分だけＸＹ方向にずれるから、それらの誤差に応じて第１のディスペンサヘッド１０Ａの塗布ノズル２６と、第３のディスペンサヘッド１０Ｃの塗布ノズル２６とをＸＹ方向に駆動することで、これら塗布ノズル２６の中心をそれぞれシール剤を塗布するときの初期位置Ｘ１、Ｘ３に位置決めする塗布方法。」
　
　同じく原査定の拒絶の理由に引用された、本願の出願前に頒布された刊行物である特開２００２−１３９４５２号公報（以下、「引用例２」という。）には、次の記載がある。
　ｈ「【請求項１】  塗布剤をプリント配線板に塗布する塗布装置において、プリント配線板に塗布剤を塗布し、その塗布した塗布剤をカメラにより撮像し、撮像した画像のデータである画像データを処理することにより、前記塗布した塗布剤の塗布量，塗布位置，塗布形状の少なくとも一つを含む実塗布情報を取得し、その実塗布情報を標準塗布情報と比較することにより塗布状態の検査を行う塗布状態検査方法であって、・・・」
　ｉ「【０００７】・・・（１６）前記塗布剤が接着剤，ペースト，クリーム状半田のいずれかである(1)項ないし(15)項に記載の塗布状態検査方法。」
　ｊ「【００３５】予備塗布および試し塗布は、プリント配線板３２の本来接着剤を塗布すべき部位とは異なる部位への接着剤の塗布であり、プリント配線板１６の表面３２の電気部品固定位置から外れ、配線とは関係のない部分に行われる。本実施形態においては、表面３２の互いに離れた複数箇所に予備塗布および試し塗布が行われることが予定されている。・・・
【００３６】試し塗布は、・・・、本実施形態では、本塗布に先立って行われる。予め設定された位置に、予め設定された数、予め設定された量で行われ、塗布毎に、塗布された接着剤がＣＣＤカラーカメラ３３０により撮像される。そして、撮像により得られた画像データに基づいて接着剤の実際の塗布形状，塗布位置および塗布量が求められ、実塗布情報が取得されるとともに、標準となる塗布形状，塗布位置および塗布量（標準塗布情報）と比較され、必要であれば、塗布ノズル９０の移動位置やスクリュ２１４の回転角度が修正され、実塗布量が標準塗布量に近づき、実塗布位置が標準塗布位置に近づくようにされる。・・・」
　ｋ「【００５０】・・・Ｓ８において取得された複数の実塗布位置はそれぞれ、標準の塗布位置と比較される。標準塗布位置は、本実施形態においては、接着剤を塗布するための塗布ノズル９０の移動位置であり、複数の接着剤の各々について、実塗布位置の標準塗布位置に対するＸ軸，Ｙ軸方向の各ずれ量が求められる。」
　ｌ「【００５６】・・・また、実塗布位置の標準塗布位置に対するＸ軸，Ｙ軸方向における各ずれが設定値を超えていれば、塗布ノズル９０の移動位置の修正量および方向が求められ、次の塗布時から、その修正量および方向に従って塗布ノズル９０の移動位置が修正される。」
　以上の記載ｈないしｌによれば、引用例２には、次の発明が記載されているといえる。（以下、「引用発明２」という。）
　　《引用発明２》
「塗布剤をプリント配線板に塗布する塗布方法において、
塗布した塗布剤をカメラにより撮像し、撮像した画像のデータである画像データを処理することにより、その塗布した塗布剤の塗布位置である実塗布情報を取得し、実塗布情報を標準塗布情報と比較することにより、実塗布位置の標準塗布位置に対するＸ軸，Ｙ軸方向の各ずれ量が求められ、
その量及び方向に従って塗布ノズル９０の位置が修正される塗布方法。」
　
（２）対比
　本願補正発明と引用発明１とを対比すると、引用発明１の「３つの塗布ノズル２６によって液状体である、ペースト状のシール剤を基板５に所定のパターンで塗布するための塗布方法であって」は、「３つの塗布ノズル２６」により「液状体である、ペースト状のシール剤」を「パターン」で塗布するのであるから、「３つの塗布ノズル２６」のそれぞれが「液状体である、ペースト状のシール剤」を吐出し、「基板５」上の複数位置のそれぞれに塗布するものであり、「基板５」上に複数の「パターン」を描画するものであると認められるので、本願補正発明の「複数のノズルのそれぞれが吐出するペーストを基板上の複数位置のそれぞれに塗布し、基板上に複数のペーストパターンを描画するペースト塗布方法において」との要件を満たし、引用発明１の「３つの塗布ノズル２６」、「液状体である、ペースト状のシール剤」、「基板５」、「パターン」及び「塗布方法」は、それぞれ本願補正発明の「複数のノズル」、「ペースト」、「基板」、「ペーストパターン」及び「ペースト塗布方法」に相当する。
　上記記載事項ｇで述べたように、引用発明１の「塗布ノズル２６の初期位置」は、「ノズル初期位置補正演算処理部３６」が「基板５のずれ量に基づき」、「基板５がＸＹテーブル４上にＸＹ及びθ方向に誤差のない状態で供給されたときの基板５」に対する「基板５に塗布されるシール剤の塗布形状」である「Ｘ、Ｙ、Ｚの三次元情報」、すなわち、「補正前の初期位置」から「補正演算」した「シール剤を塗布し始めるときの最初のＸＹ座標（初期位置）」である。そうすると、引用発明１の「補正前の初期位置」と、本願補正発明の「実塗布位置」とは、いずれも「補正前の塗布位置」である点で共通する。
　上記記載事項ｆ及び図６から見て、引用発明１の「塗布ノズル２６の初期位置」は、基板５に塗布されるシール剤の目標位置としての初期位置（図６のＸ１、Ｘ２、Ｘ３）である。また、本願明細書の段落【００２４】の「カメラ３１〜３３の撮像画像に基づいて検出したペーストの実塗布位置Ｐ1、Ｐ2、Ｐ3が、予め定めてあるペーストの目標塗布位置Ｐ10、Ｐ20、Ｐ30に対する位置ずれ（Δｘ1，Δｙ1）、（Δｘ2，Δｙ2）、（Δｘ3，Δｙ3）を演算し、これらの位置ずれを解消するように各ノズル２４Ａ〜２６Ａを、ＸＹテーブル１２上の吸着台１３に吸着されている基板１に対し相対移動する。」及び図３の記載から見て、本願補正発明の「目標塗布位置」は、基板１に塗布されるペーストの目標位置（図３のＰ10。Ｐ20とＰ30は図示されていない。）である。
　そうすると、引用発明１の「塗布ノズル２６の初期位置」は、本願補正発明の「目標塗布位置」に相当する。
　引用発明１の「基板５をＸＹ方向に駆動し、第２のディスペンサヘッド１０Ｂの塗布ノズル２６の中心がこの塗布ノズル２６によって基板５に塗布されるシール剤の塗布パターンＰ２の初期位置Ｘ２に一致するよう、この基板５を位置決めし、第２のディスペンサヘッド１０Ｂの塗布ノズル２６を塗布パターンＰ２の初期位置Ｘ２に位置決めすると、第１、第３のディスペンサヘッド１０Ａ，１０Ｃの塗布ノズル２６の中心位置は、それぞれの塗布パターンＰ１、Ｐ３の初期位置Ｘ１、Ｘ３に対して、第２のディスペンサヘッド１０Ｂの塗布ノズル２６を位置決めしたときのＸＹ方向の移動量と、ＸＹテーブル４上に供給されたときの基板５のＸＹ方向のずれ量とを加算した分だけＸＹ方向にずれるから、それらの誤差に応じて第１のディスペンサヘッド１０Ａの塗布ノズル２６と、第３のディスペンサヘッド１０Ｃの塗布ノズル２６とをＸＹ方向に駆動することで、これら塗布ノズル２６の中心をそれぞれシール剤を塗布するときの初期位置Ｘ１、Ｘ３に位置決めする」は、「第２のディスペンサヘッド１０Ｂの塗布ノズル２６の中心が、この塗布ノズル２６によって基板５に塗布されるシール剤の塗布パターンＰ２の初期位置Ｘ２に一致するよう、この基板５を位置決め」すること、「基板５」に対して「第１のディスペンサヘッド１０Ａの塗布ノズル２６と、第３のディスペンサヘッド１０Ｃの塗布ノズル２６とをＸＹ方向に駆動することで、これら塗布ノズル２６の中心をそれぞれシール剤を塗布するときの初期位置Ｘ１、Ｘ３に位置決めする」ことであり、第１ないし第３のノズル位置と、基板５との相対位置関係が変化する。つまり、第１ないし第３のノズルは、いずれも基板５に対して相対的に移動する。また、引用例１における上記記載ｃ及び図２からして、「第１のディスペンサヘッド１０Ａの塗布ノズル２６」と、「第３のディスペンサヘッド１０Ｃの塗布ノズル２６」とは、ぞれぞれ別のＸＹ駆動機構を備えているのであるから、第１ないし第３のノズルの位置ずれが、個別に解消されている。
　したがって、引用発明１の「基板５をＸＹ方向に駆動し、第２のディスペンサヘッド１０Ｂの塗布ノズル２６の中心がこの塗布ノズル２６によって基板５に塗布されるシール剤の塗布パターンＰ２の初期位置Ｘ２に一致するよう、この基板５を位置決めし、第２のディスペンサヘッド１０Ｂの塗布ノズル２６を塗布パターンＰ２の初期位置Ｘ２に位置決めすると、第１、第３のディスペンサヘッド１０Ａ，１０Ｃの塗布ノズル２６の中心位置は、それぞれの塗布パターンＰ１、Ｐ３の初期位置Ｘ１、Ｘ３に対して、第２のディスペンサヘッド１０Ｂの塗布ノズル２６を位置決めしたときのＸＹ方向の移動量と、ＸＹテーブル４上に供給されたときの基板５のＸＹ方向のずれ量とを加算した分だけＸＹ方向にずれるから、それらの誤差に応じて第１のディスペンサヘッド１０Ａの塗布ノズル２６と、第３のディスペンサヘッド１０Ｃの塗布ノズル２６とをＸＹ方向に駆動することで、これら塗布ノズル２６の中心をそれぞれシール剤を塗布するときの初期位置Ｘ１、Ｘ３に位置決めする」は、本願補正発明の「ノズル毎の位置ずれを解消するように各ノズルを基板に対し相対移動させる」との要件を満たす。
　
　そうすると、本願補正発明と引用発明１とは、できるだけ本願補正発明に倣って記載すれば、次の一致点で一致する。
　　《一致点》
「複数のノズルのそれぞれが吐出するペーストを基板上の複数位置のそれぞれに塗布し、基板上に複数のペーストパターンを描画するペースト塗布方法において、
　各ノズルによるペーストの補正前の塗布位置の、予め定めてあるペーストの目標塗布位置に対する位置ずれを、検出し、
　ノズル毎の位置ずれを解消するように各ノズルを基板に対し相対移動させる、ペースト塗布方法。」
　
　そして、本願補正発明と引用発明１とは、次の相違点１、２で相違する。
　　《相違点１》
　補正前の塗布位置が、本願補正発明では、実塗布位置の検出あるいは各ノズルの先端位置の検出により検出した実塗布位置であるのに対し、引用発明１では、データ入力部３３から入力される「基板５に塗布されるシール剤の塗布形状」である「Ｘ、Ｙ、Ｚの三次元情報」に含まれている補正前の初期位置である点。
　　《相違点２》
　本願補正発明は、各ノズルによるペーストの補正前の塗布位置の、予め定めてあるペーストの目標塗布位置に対する位置ずれの検出を、各ノズルによる実塗布位置の検出あるいは各ノズルの先端位置の検出によって行っているのに対して、引用発明１は、この位置ずれの検出を、データ入力部３３から入力された位置合わせマーク５ａのＸＹ座標と、撮像された基板５の位置合わせマーク５ａのＸＹ座標とから求めた、基板５のＸＹ方向とθ方向のずれ量に基づいて算出によって行っている点。
　
（３）相違点の検討
　そこで、上記相違点１、２について検討する。
　引用発明２は、「塗布剤をプリント配線板に塗布する塗布方法において、塗布した塗布剤をカメラにより撮像し、撮像した画像のデータである画像データを処理することにより、その塗布した塗布剤の塗布位置である実塗布情報を取得し、実塗布情報を標準塗布情報と比較することにより、実塗布位置の標準塗布位置に対するＸ軸，Ｙ軸方向の各ずれ量が求められ、その量及び方向に従って塗布ノズル９０の位置が修正される塗布方法。」であり、引用発明２の「塗布ノズル９０」、「塗布剤」、「標準塗布位置」は、それぞれ本願補正発明の「ノズル」、「ペースト」、「目標塗布位置」に相当し、引用発明２の「実塗布位置」は、塗布した塗布剤をカメラにより撮像し、撮像した画像のデータである画像データを処理することにより取得されたものであるから、本願補正発明の「実塗布位置」に相当する。そして、引用発明２の「ずれ量」は、本願補正発明の「実塗布位置」、「目標塗布位置」にそれぞれ相当する「実塗布情報」、「標準塗布情報」の比較により求められるのであるから、本願補正発明の「位置ずれ」に相当する。
　してみると、引用発明２は、できるだけ本願補正発明に倣って記載すれば、「ノズルによるペーストの実塗布位置の、予め定めてあるペーストの目標塗布位置に対する位置ずれを、ノズルによる実塗布位置の検出により検出し、ノズルの上記位置ずれを解消する、塗布方法」である。
　そして、引用発明１と引用発明２とは、ノズルの吐出するペーストを基板上に塗布する技術分野に属すると共に、ノズルの位置ずれを解消する点で共通するものであるから、引用発明１に、引用発明２の構成である「ノズルによる実塗布位置の検出」をする手段を適用して、本願補正発明の構成とすることは、当業者が容易に推考し得たことである。
　
　しかも、塗布ノズル等が交換された場合に、交換後のノズル等の位置データを校正して正しい動作を行うようにすることが周知であること（例えば特開平５−３２９４２３号公報参照）などから見て、本願補正発明が奏する効果も、引用発明１及び引用発明２から当業者が予測できたものであって、格別顕著なものとはいえない。
　
　したがって、本願補正発明は、引用発明１及び引用発明２に基づいて、当業者が容易に発明をすることができたものであるから、特許法第２９条第２項の規定により、特許出願の際独立して特許を受けることができないものである。
　
（４）他の引用例に基づく独立特許要件違反の理由
　本願の出願前に頒布された刊行物である特開平５−３２９４２３号公報（以下、「引用例３」という。）には、１つのノズルを備えた塗布装置の発明であって、材料切れ等によりカートリッジを交換・着脱した時にそのノズルによる実際の塗布位置を検出し、Ｘ、Ｙ、θのずれ量を位置補正することにより常に安定した高精度塗布を実現することができる塗布装置の発明が記載されている。そして、引用例３の明細書及び図面の記載から見て、引用例３には、塗布方法の発明も記載されており、その塗布方法の発明と、本願補正発明とは、次の一致点で一致し、相違点Ａで相違する。
　　　＜一致点＞
　ノズルが吐出するペーストを基板上に塗布し、基板上にペーストパターンを描画するペースト塗布方法において、
　前記ノズルによるペーストの実塗布位置の、予め定めてあるペーストの目標塗布位置に対する位置ずれを、前記ノズルによる前記実塗布位置の検出により検出し、
　ノズルの上記位置ずれを解消するようにノズルを基板に対し相対移動させるペースト塗布方法。
　
　　　＜相違点Ａ＞
　本願補正発明は、複数のノズルを備えており、基板上に複数のペーストパターンを描画するものであり、実塗布位置と目標塗布位置との位置ずれを、各ノズル毎に検出し、ノズル毎の上記位置ずれを解消するように各ノズルを基板に対し相対移動するものであるのに対し、引用例３に記載された発明は、ノズルが１つのみである点。
　
　そこで、相違点Ａについて検討すると、引用例１には、複数のノズルを備えており、基板上に複数のペーストパターンを描画するものであり、各ノズルの補正前の塗布位置と目標塗布位置との位置ずれを検出し、ノズル毎の上記位置ずれを解消するように各ノズルを基板に対し相対移動する塗布方法の発明が記載されている（上記(２)の＜一致点＞を参照）。引用例３に記載された発明と、引用例１に記載された発明は、技術分野が共通し、ノズルによる塗布位置を、目標位置に一致させるという課題においても共通するから、引用例３に記載された発明に、引用例１に記載された発明を適用して、本願補正発明の構成を得ることは、当業者が容易に推考し得たことである。
　そして、本願補正発明が奏する効果も、引用例３及び引用例１に記載された発明から当業者が予測できたものであって、格別顕著なものとはいえない。
　したがって、本願補正発明は、引用例３及び引用例１に記載された発明に基づいて、当業者が容易に発明をすることができたものであるから、特許法第２９条第２項の規定により、特許出願の際独立して特許を受けることができないものである。
　
　４．まとめ
　以上のとおり、本願補正発明は、特許法第２９条第２項の規定により、特許出願の際独立して特許を受けることができないものである。よって、本件手続補正は、平成１８年改正前特許法第１７条の２第５項において準用する同法第１２６条第５項の規定に違反するものであり、同法第１５９条第１項において読み替えて準用する同法第５３条第１項の規定により却下されるべきものである。
　
　第３．本願発明について
　１．本願発明
　上記のとおり、本件手続補正は却下されたので、本願の請求項１ないし１０に係る発明は、平成２０年７月２８日付けの手続補正書により補正された特許請求の範囲の請求項１ないし１０に記載された事項により特定されるものと認められるところ、請求項１は次のとおり記載されている。
「複数のノズルのそれぞれが吐出するペーストを基板上の複数位置のそれぞれに塗布し、基板上に複数のペーストパターンを描画するペースト塗布方法において、
　各ノズルによるペーストの実塗布位置が予め定めてあるペーストの目標塗布位置に対する位置ずれを検出し、
　ノズル毎の上記位置ずれを解消するように各ノズルを基板に対し相対移動させることを特徴とするペースト塗布方法。」
（以下、請求項１に係る発明を、「本願発明」という。）
　
　２．引用例の記載事項
　原査定の拒絶の理由に引用された引用例及びその記載事項は、上記第２．３．（１）に記載したとおりである。
　
　３．対比・検討
　本願発明は、上記第２．１．で検討した本願補正発明から、「各ノズルによるペーストの実塗布位置が予め定めてあるペーストの目標塗布位置に対する位置ずれを検出し、」について限定する「前記各ノズルによる前記実塗布位置の検出あるいは前記各ノズルの先端位置の検出により」との事項を省いたものである。
　そうすると、本願発明を特定する事項を全て含み、さらに他の特定する事項を付加したものに相当する本願補正発明が、上記第２．３．（３）に記載したとおり、引用発明１及び引用発明２に基いて、当業者が容易に発明をすることができたものであるから、本願発明も、同様の理由により、引用発明１及び引用発明２に基いて、当業者が容易に発明をすることができたものである。
　
４．むすび
　以上のとおりであって、本願発明は、特許法第２９条第２項の規定により特許を受けることができないものであるから、他の請求項に係る発明について検討するまでもなく、本願は拒絶されるべきものである。
　原査定は妥当である。
　よって、結論のとおり審決する。